(57)【要約】【課題】たすき掛けのまま、片手で長さを調節することができるストラップと、そのストラップが取り付けられたショルダーバッグを提供する。【解決手段】肩ひもの一端３ａを中軸４ｂに平行な枠体４ａの一辺に取り付け、肩ひもの他端３ｂ側を中軸に通して、コキ４が滑るように動くようにする。そして、ショルダーバッグをたすき掛けにしたまま、片手で操作片６を引っ張ってストラップ２の長さを調節する。このストラップが取り付けられたショルダーバッグでは、ストラップを短くして、バッグ本体を背中に密着させて背負う。また、ストラップを長くして、バッグ本体の中身を取り出しやすいように、バッグ本体を背中から腹に回す。【選択図】図２
2014008172.tif 000002
【特許請求の範囲】
【請求項１】
長さを調節できるストラップであって、
前記ストラップが、肩ひもと、枠体とその枠体の内側に配設された中軸とを備えた長さ調節用器具と、環体とからなり、
前記肩ひもの一端が、前記長さ調節用器具の枠体のうち中軸と平行な一辺に取り付けられ、
前記肩ひもの他端側が、前記長さ調節用器具の中軸に通されていることを特徴とするストラップ。
【請求項２】
前記長さ調節用器具を操作するための操作片が、前記肩ひもの一端が取り付けられた枠体の一辺と対向する一辺に取り付けられていることを特徴とする請求項１に記載のストラップ。
【請求項３】
請求項１又は請求項２に記載のストラップが取り付けられていることを特徴とするショルダーバッグ。
【発明の詳細な説明】
【技術分野】
【０００１】
この発明は、長さを調節できるストラップに関し、特にたすき掛けのまま、長さを調節することができるストラップと、そのストラップが取り付けられたショルダーバッグに関する。
【背景技術】
【０００２】
ストラップとしては、肩ひも（特許文献１では、調節ベルトという）の先端部分に厚みを設けることで、肩ひもが長さ調節用器具（特許文献１では、コキカンという）から抜けないようにしたものが提案されている（例えば、特許文献１参照）。このストラップでは、ショルダーバッグをたすき掛けで背負ったまま、ショルダーバッグを軽く抱えながら、反対の手で肩ひもの先端部分をつかみ適当な長さになるまで引くとストラップを短くできる。また、ショルダーバッグを軽く抱えながら、反対の手で長さ調節用器具を持ち上げるとストラップを長くできるようになっている。
【０００３】
別のストラップとしては、肩ひも（特許文献２では、ストラップ本体という）を長さ調節用器具（特許文献２では、コキという）の挿通口から引き出す操作片を肩ひもの一端側に固定することで、片手でストラップの長さを調節できるようにしたものが提案されている（例えば、特許文献２参照）。このストラップでは、一方の手でバッグの取っ手を持ちながら、他方の手で操作片をつかみ、操作片をバッグから引き離すように引っ張るとストラップを縮めた状態、より正しくはストラップを折り畳んだ状態にできる。また、一方の手でバッグの取っ手を持ちながら、他方の手で操作片をつかみ、操作片をバッグから離すように引っ張って面ファスナーの係合を解き、肩ひもをコキから引き出すとストラップを伸ばした状態、より正しくはストラップを広げた状態にできるようになっている。
【０００４】
また、特許文献３には、長さ調節用器具（特許文献３では、コキという）の使い方が説明されている。特許文献３によると、特許文献３に記載の発明と従来の技術は共に、肩ひも（特許文献３では、ベルトという）の一端を長さ調節用器具の中軸に取り付けていることがわかる。
【先行技術文献】
【特許文献】
【０００５】
【特許文献１】実用新案登録第３１２２６２３公報（段落０００６，００１０，００１２、図２）
【特許文献２】特開２００９−１６５７７３号公報（段落０００７，００１８，００１９、図３）
【特許文献３】特開２００４−３３７２７６号公報（段落０００２０，０００３、図１，３，４，５，６，７）
【発明の概要】
【発明が解決しようとする課題】
【０００６】
しかしながら、前記特許文献１に係るストラップでは、肩ひもの先端部分に厚みを設けることで、肩ひもが長さ調節用器具（以下、コキという）から抜けないようにしているものの、ストラップを伸ばすときにはショルダーバッグを軽く抱えておかないと、ショルダーバッグの重さによって望む長さを超えて肩ひもがコキに引き込まれてしまい、ストラップが長くなり過ぎしまう。また、ストラップを短くするときにも、ショルダーバッグを軽く抱えておかないと、ショルダーバッグが重い場合には肩ひもの先端部分を引きづらい。一方、ショルダーバッグが軽い場合には、肩ひもの先端部分を引く勢いによってショルダーバッグが回って、例えば特許文献１のようにショルダーバッグを脇（わき）に抱えていると、ショルダーバッグが背中の方向に移動してしまう。このように、前記特許文献１に係るストラップでは、片手でショルダーバッグを軽く抱えながら、反対の手で長さの調節をするために、両手がふさがってしまう。
【０００７】
また、前記特許文献１に係るストラップでは、肩ひもの先端部分をつかみ適当な長さになるまで引くようにしているために、コキから引き出した肩ひもが垂れ下がる。特に、ストラップを短く調節した場合には、コキから引き出した肩ひもが長く垂れ下がるために、邪魔になるとともに見栄えも悪くなってしまう。
【０００８】
前記特許文献２に係るストラップでは、肩ひもをコキから引き出す操作片を肩ひもの一端側に固定してストラップを折り畳んだ状態に、また固定した操作片を外してストラップを広げた状態にしているために、２段階にしか長さを調節できない。
【０００９】
また、前記特許文献２に係るストラップでは、一方の手でバッグの取っ手を持ちながら、他方の手で長さの調節をするために、両手がふさがってしまう。
【００１０】
さらに、前記特許文献１から前記特許文献３に係るストラップでは、ストラップを所望の長さになるように肩ひもをコキの中軸から引き出してから、肩ひもの先端部分を引っ張って肩ひもを中軸に、より正しくは肩ひもを中軸に取り付けられている肩ひもに密着させて長さを調節している。そのために、肩ひもの先端部分を引っ張るときにバッグの重さによって肩ひもがコキに引き込まれて、ストラップが所望の長さよりも長くなってしまう。
【００１１】
そこで、この発明では、前記した課題を解決し、ストラップをたすき掛けにしたまま、片手のみで長さを調節、それも無段階に、所望の長さに微調節することができるストラップと、そのストラップが取り付けられたショルダーバッグを提供することを目的とする。
【課題を解決するための手段】
【００１２】
前記課題を解決するため、請求項１に係る発明では、肩ひもと、枠体とその枠体の内側に配設された中軸とを備えた長さ調節用器具（以下、コキという）と、環体（以下、コカンという）とからなる長さを調節できるストラップを、肩ひもの一端を中軸と平行な枠体の一辺に取り付け、肩ひもの他端側を中軸に通した。
【００１３】
請求項２に係る発明では、コキを操作するための操作片を、肩ひもの一端が取り付けられた枠体の一辺と対向する一辺に取り付けた。
【００１４】
請求項３に係る発明では、ショルダーバッグに、肩ひもの一端を中軸と平行な枠体の一辺に取り付け、肩ひもの他端側を中軸に通したストラップ、又はコキを操作するための操作片を、肩ひもの一端が取り付けられた枠体の一辺と対向する一辺に取り付けたストラップを、取り付けた。
【発明の効果】
【００１５】
請求項１に係る発明によれば、肩ひもの一端を中軸と平行な枠体の一辺に取り付け、肩ひもの他端側を中軸に通したので、前記特許文献２と前記特許文献３に係るストラップのように、肩ひもの他端側を肩ひもの一端が取り付けられている中軸に通すのと比べて、肩ひも同士が接する面積を減らすことができる。そのために、コキを滑るように動かすことができる。その結果として、ストラップをたすき掛けにしたまま、コキを滑るように動かして、片手で長さを調節することができる。さらに、コキを滑らせるように動かして長さを調節するので、無段階に、所望の長さに微調節することもできる。
【００１６】
また、請求項１に係る発明によれば、肩ひもの一端を中軸と平行な枠体の一辺に取り付け、肩ひもの他端側をコキの中軸に通したので、前記特許文献１に係るストラップのように、コキから引き出した肩ひもが垂れ下がらないようにもできる。
【００１７】
請求項２に係る発明によれば、コキを操作するための操作片を、肩ひもの一端が取り付けられた枠体の一辺と対向する一辺に取り付けたので、操作片をつかめば、コキをつかむのと比べて、より簡単にコキを操作することができる。そのために、より簡単に、ストラップをたすき掛けにしたまま、片手で長さを調節することができる。
【００１８】
請求項３に係る発明によれば、ショルダーバッグに請求項１又は請求項２のストラップを取り付けたので、ストラップをたすき掛けにしたまま、片手で長さを調節することができる。さらに、コキを滑らせるように動かして長さを調節するので、無段階に、所望の長さに微調節することもできる。また、コキから引き出した肩ひもが垂れ下がらないようにもできる。
【００１９】
請求項１から請求項３に係る発明によれば、ストラップをたすき掛けにしたまま、片手でストラップの長さを調節できるので、ストラップの長さを調節のために両手がふさがることがない。
【００２０】
また、請求項１から請求項３に係る発明によれば、ストラップをたすき掛けにしたまま、片手でストラップの長さを調節できるので、例えばショルダーバッグをたすき掛けにしやすいようにストラップを長くしておいて、ショルダーバッグをたすき掛けにしてから、ショルダーバッグが背中に密着するようにストラップを短くすることができる。このようにすると、ショルダーバッグが体に密着することから、体への負担を軽減することができる。
【００２１】
そして、従来のショルダーバッグでは、ショルダーバッグをたすき掛けにしやすいようにストラップを長くしているために、ショルダーバッグが腰の位置まで落ちているところ、請求項１から請求項３に係る発明によれば、ショルダーバッグをたすき掛けにしてから、ショルダーバッグが背中に密着するようにストラップを短くすると、ショルダーバッグを背中の位置まで上げられるので、ショルダーバッグをたすき掛けにした姿をりりしい印象にすることができる。
【００２２】
また、従来のショルダーバッグでは、仮にショルダーバッグが背中に密着するようにストラップを短くすると、ショルダーバッグを下ろさないとショルダーバッグの中身を取り出せないところ、請求項１から請求項３に係る発明によれば、ストラップをたすき掛けにしたままでストラップを長くすると、ショルダーバッグを背中から腹に回せられるので、ショルダーバッグをたすき掛けにしたままでショルダーバッグの中身を取り出すことができる。
【図面の簡単な説明】
【００２３】
【図１】実施形態に係るショルダーバッグの斜視図である。
【図２】実施形態に係るストラップの斜視図である。
【図３】（ａ）は実施形態に係るストラップの長さを調節する仕組みを説明する斜視図のうち、調節前の状態を示す斜視図であり、（ｂ）はストラップを短くする仕組みを示す斜視図であり、（ｃ）はストラップを長くする仕組みを示す斜視図である。
【図４】（ａ）は実施形態に係るストラップを短くする動作を説明する斜視図のうち、動作前を示す斜視図であり、（ｂ）は動作後を示す斜視図である。
【図５】（ａ）は実施形態に係るストラップを長くする動作を説明する斜視図のうち、動作前を示す斜視図であり、（ｂ）は動作後を示す斜視図である。
【発明を実施するための形態】
【００２４】
まず、この発明の創作の基礎となる事項について簡単に説明する。発明者は、主にフィッシングバッグの企画から製造、販売までを行っており、近年ではアウトドアバッグやカジュアルバッグも取り扱っている。そして、発明者は、バッグ職人として実用性を重視しており、「必要な物を収納しやすいこと。取り出しやすくて、そのあとにまた収納するときもスムーズなこと」にこだわってきた。
【００２５】
発明者は、ショルダーバッグを背中に密着させると体への負担が軽いにもかかわらず、多くの人がショルダーバッグを腰の位置まで下げていることに着目した。そして、ショルダーバッグを腰の位置まで下げているのは、ショルダーバッグをたすき掛けにしたままでもショルダーバッグの中身を取り出しやすいように、ショルダーバッグを背中から腹に回せられるように、ストラップを長くしているためと気付いた。
【００２６】
ここで、従来のストラップにも長さを調節できるものがあるところ、従来のストラップは、体型に合わせて長さを調節することを目的にしていた。そのために、従来のストラップでは、いったん体格に合わせて長さを調節すれば、頻繁に長さを変える必要がなく、ショルダーバッグをたすき掛けにしたまま長さをスムーズに調節できるものではなかった。
【００２７】
そこで、発明者は、ショルダーバッグをたすき掛けにしたままでも、ストラップの長さをスムーズに、かつ素早く調節することができると、ショルダーバッグの中身を取り出しすときだけ、ショルダーバッグを背中から腹に回せられるように、ストラップを長くすればよく、ショルダーバッグを背中に密着させて背負えることを見いだし、この発明を創作するに至ったものである。
【００２８】
次に、この発明の実施形態について、適宜図面を参照しながら詳細に説明する。図１は、実施形態に係るショルダーバッグの斜視図である。図１に示すように、ショルダーバッグ１は、ストラップ２とバッグ本体Ｂとを有して構成されている。ここでは、ストラップ２をバッグ本体Ｂから取り外せるように、ストラップ２をバッグ本体Ｂの両側面に設けられた係止具ｂ，ｂに引っ掛けるように構成されている。
【００２９】
図２は、実施形態に係るストラップ２の斜視図である。図２に示すように、ストラップ２は、肩ひも３と、長さ調節用器具（以下、コキという）４と、環体（以下、コキカンという）５ａ，５ｂと、操作片６とを有して構成されている。
【００３０】
肩ひも３は、ひも状の部材である。肩ひも３は、たすき掛け、より具体的には肩から脇に斜めに掛けて、バッグ本体Ｂ(図１参照)を背負えるようにする部材である。
【００３１】
コキ４は、枠状の部品であって、枠体４ａと、枠体４ａの内側に配設された中軸４ｂとからなる。コキ４は、肩ひも３をずれないように固定し、肩ひも３の長さを調節する部品である。
【００３２】
コキカン５ａ，５ｂは、環状の部品であり、肩ひも３をすり動くように保持する部品である。コキカン５ａ，５ｂは、ここでは図１に示すように、ストラップ２をバッグ本体Ｂから取り外せるように鉤（かぎ）形のものが付いた、いわゆるナスカンである。
【００３３】
これら、肩ひも３と、コキ４と、コキカン５ａ，５ｂは、ここでは従来のストラップに使われているものをそのまま使っているところ、実施形態に係るストラップ２では、肩ひも３の通し方が従来のストラップと異なる。
【００３４】
図２に示すように、実施形態に係るストラップ２では、肩ひもの一端３ａが、中軸４ｂと平行な枠体４ａの一辺に取り付けられている。そして、肩ひもの他端３ｂが、コキカン５ａに通されてから、中軸４ｂに通され、別のコキカン５ｂに取り付けられている。
【００３５】
操作片６は、小片状の部材であり、肩ひもの一端３ａが取り付けられた枠体４ａの一辺と対向する一辺に取り付けられている。操作片６は、ここでは肩ひも３の切れ端を用い、
２つ折りの内面には図示しない面ファスナーが取り付けられている。
【００３６】
以上のように構成されたストラップ２では、一本の肩ひも３でストラップ２を構成しているために、具体的には肩ひもの一端３ａを中軸４ｂと平行な枠体４ａの一辺に取り付け、肩ひもの他端３ｂをコキカン５ａに通してから、中軸４ｂに通し、別のコキカン５ｂに取り付けているために、前記特許文献１に係るストラップのように、コキから引き出した肩ひもが垂れ下がらない。
【００３７】
図３は、実施形態に係るストラップ２の長さを調節する仕組みを説明する斜視図である。そして、図３の（ａ）は、調節前の状態を示す斜視図であり、図３の（ｂ）は、ストラップ２を短くする仕組みを示す斜視図であり、図３の（ｃ）は、ストラップ２を長くする仕組みを示す斜視図である。
【００３８】
図３の（ｂ）に示すように、操作片６を矢印の方向に引っ張ると、コキ４が滑るように矢印の方向に動く。そして、肩ひも３の重なりが増えて、より詳しくはコキ４とコキカン５ａの間の肩ひも３が二重になる長さが長くなって、ストラップ２が短くなる。
【００３９】
図３の（ｃ）に示すように、操作片６を矢印の方向に引っ張ると、コキ４が滑るように矢印の方向に動く。そして、肩ひも３の重なりが減って、より詳しくはコキ４とコキカン５ａの間の肩ひも３が二重になる長さが短くなって、ストラップ２が長くなる。
【００４０】
ストラップ２では、肩ひもの一端３ａ（図２参照）を中軸４ｂと平行な枠体４ａの一辺に取り付け、肩ひもの他端３ｂ（図２参照）側を中軸４ｂに通しているために、コキ４が滑るように動く。そして、ストラップ２では、コキ４が滑るように動くために、思い通りにコキ４を動かして止められる。
【００４１】
図４の（ａ）は、実施形態に係るストラップ２を短くする動作を説明する斜視図のうち、動作前を示す斜視図である。図４の（ｂ）は、実施形態に係るストラップ２を短くする動作を説明する斜視図のうち、動作後を示す斜視図である。
【００４２】
図４の（ａ）に示すように、操作片６をつかみ、操作片６を矢印の方向に、胸から脇の方向に引っ張ると、コキ４が矢印の方向に、胸から脇の方向に滑るように動いて、ストラップ２は図３の（ａ）から（ｂ）の状態になり、ストラップ２が短くなる。そして、ストラップ２を短くすることで、図示しないバッグ本体Ｂを背中に密着させて背負える。
【００４３】
図４の（ａ），（ｂ）に示すように、ストラップ２の長さの調節を、ショルダーバッグ１（図１参照）をたすき掛けに背負ったまま、ここでは操作片６を右手でつかみ、操作片６を胸から脇の方向に引っ張って、片手で行える。さらに、ストラップ２の長さの調節を、コキ４を滑らせるように動かして思い通りの位置に止めて、正確にかつスムーズに行える。
【００４４】
図５の（ａ）は、実施形態に係るストラップを長くする動作を説明する斜視図のうち、動作前を示す斜視図である。図５の（ｂ）は、実施形態に係るストラップを長くする動作を説明する斜視図のうち、動作後を示す斜視図である。
【００４５】
図５の（ａ）に示すように、操作片６をつかみ、操作片６を矢印の方向に、脇から胸の方向に引っ張ると、コキ４が矢印の方向に、脇から胸の方向に滑るように動いて、ストラップ２は図３の（ｂ）から（ｃ）の状態になり、ストラップ２が長くなる。そして、ストラップ２を長くすることで、図示しないバッグ本体Ｂの中身を取り出しやすいように、バッグ本体Ｂを背中から腹に回せられる。
【００４６】
以上、この発明の実施形態について説明したが、この発明は前記実施形態には限定されない。例えば、実施形態に係るストラップ２では、ショルダーバッグ１に取り付けられる場合について説明したが、例えばトートバッグ、ウエストバッグ、リュックサック、バックパックなどのバッグでも構わない。さらに、バッグ以外でも、例えばカメラのストラップ、抱っこひも、ギターのストラップでも構わない。
【００４７】
また、実施形態に係るストラップ２では、バッグ本体Ｂから取り外せるように、コキカン５としてナスカンを用いたが、ストラップ２をバッグ本体Ｂに取り付ける場合にはコキカンで構わない。
【００４８】
この発明において中軸４ｂと平行な辺とは、中軸４ｂと交差する辺ではないことをいう。  
【００４９】
この発明において肩ひもの他端３ｂ側とは、枠体４ａに取り付けられた一端３ａの端部以外の部分をいう。
【符号の説明】
【００５０】
１    ショルダーバッグ
２    ストラップ
３    肩ひも
３ａ  一端
３ｂ  他端
４    長さ調節用器具（コキ）
４ａ  枠体
４ｂ  中軸
５ａ，５ｂ  環体（コキカン）
６    操作片
Ｂ    バッグ本体
【図１】
2014008172.tif 000003
【図２】
2014008172.tif 000004
【図３】
2014008172.tif 000005
【図４】
2014008172.tif 000006
【図５】
2014008172.tif 000007